(57)【要約】  【課題】  結合器で結合された２台の無線機のうち、一方を使用しない場合、他方の送受信信号は、結合器を通過させず、直接に空中線側の回路と授受可能にさせる空中線共用器を提供する。  【解決手段】  本発明の空中線共用器１００では、無線機結合ユニット１０または２０に接続されるＶＨＦ無線機１５，１６の一方、または、ＵＨＦ無線機２５，２６の一方が使用されない場合、例えば、ＶＨＦ無線機１５が使用されるがＶＨＦ無線機１６が使用されない場合、切替回路３１は、接点ｒ，ａの接続を接点ｒ，ｂの接続に切り替え、切替回路３３は、接点ｒ，ｋの接続を接点ｒ，ｉの接続に切り替える。したがって、ＢＰＦ１２および結合器１３は、空中線６０の側の回路から切り離され、ＢＰＦ１１は切替回路３１，３３および接続ライン３５によって空中線側の回路に直接接続され、ＢＰＦ１１を通過する送受信信号は結合器１３の損失を受けることが無い。  【選択図】  図１
2007036322.tif 000002
【特許請求の範囲】
【請求項１】
１つの空中線に対して、それぞれが異なる周波数を用いる複数の無線機を運用するために、低域側の周波数を用いる一方の無線機に接続するための低域側帯域通過濾波器と、高域側の周波数を用いる他方の無線機に接続するための高域側帯域通過濾波器とを結合器で結合して空中線側の回路に接続する無線機結合ユニットを周波数帯域毎に有する空中線共用器において、
同じ無線機結合ユニットに接続されるべき無線機のどちらかが使用されない場合には、結合器および使用されない無線機に接続される帯域通過濾波器については空中線側の回路から切り離し、使用される無線機に接続された帯域通過濾波器については結合器から切り離して空中線側の回路に直接接続する切替回路を有することを特徴とする空中線共用器。
【発明の詳細な説明】
【技術分野】
【０００１】
本発明は、空中線共用器に関し、特に、１つの空中線に対して、それぞれが異なる周波数を用いる複数の無線機を運用するために、低域側の周波数を用いる一方の無線機に接続するための低域側帯域通過濾波器と、高域側の周波数を用いる他方の無線機に接続するための高域側帯域通過濾波器とを結合器で結合して空中線側の回路に接続する無線機結合ユニットを周波数帯域毎に有する空中線共用器に関する。
【背景技術】
【０００２】
図２は空中線共用器の従来例を示すブロック図である。図２の空中線共用器２００においては、無線機結合ユニット１１０がＶＨＦ無線機１１５，１１６を整合および結合させ、無線機結合ユニット１２０がＵＨＦ無線機１２５，１２６を整合および結合させている。無線機結合ユニット１１０，１２０は、それぞれ低域通過濾波器１３０（ＬＰＦ１３０）および高域通過濾波器１４０（ＨＰＦ１４０）を介して結合器１５０により空中線１６０に結合されている。
【０００３】
なお、上述の無線機結合ユニット１１０の結合器１１３は、ＶＨＦ帯の帯域通過濾波器１１１，１１２（ＢＰＦ１１１，１１２）を整合および結合させてＬＰＦ１３０に接続している。また、無線機結合ユニット１２０の結合器１２３は、ＵＨＦ帯の帯域通過濾波器１２１，１２２（ＢＰＦ１２１，１２２）を整合および結合してＨＰＦ１４０に接続している。ＢＰＦ１１１，１１２は、無線機１１５，１１６が扱う（送受信する）ＶＨＦ帯域の異なる周波数に対応できるように設定された可変空洞共振器であって、所望の周波数に同調させるために、機械的に調整できるように構成されている。
【０００４】
また、ＢＰＦ１２１，１２２は、無線機１２５，１２６が扱う（送受信する）ＵＨＦ帯域の異なる周波数に対応できるように設定された可変空洞共振器であって、所望の周波数に同調させるために、機械的に調整できるように構成されている。ＬＰＦ１３０は、ＶＨＦ帯以下の高周波信号を通過させる。また、ＨＰＦ１４０は、ＵＨＦ帯以上の高周波信号を通過させる。結合器１５０は、ＬＰＦ１３０およびＨＰＦ１４０が扱うＶＨＦ帯およびＵＨＦ帯の高周波信号を１本の空中線１６０に対して整合および結合させる。
【０００５】
上述のような空中線共用器２００の構成においては、１本の空中線を複数の無線機で共用するために、予め想定された無線機の最大数および無線機の扱う周波数帯に適合するようにＢＰＦを配置している（図２においては、ＶＨＦ帯の無線機用のＢＰＦを２台、ＵＨＦ帯の無線機用のＢＰＦを２台配置している）。このような構成では、高周波信号に対する損失が生じる。高周波信号の損失の大きな要因は、ＢＰＦにおける挿入損失と、結合器における損失とである。しかし、このような損失は、上述の従来構成の空中線共用器の性能および機能を維持するためには回避できないことであった。
【０００６】
上述の例において、各ＢＰＦに接続される無線機側から空中線を見た場合、基本的には空中線と無線機との関係は、１対１で接続されている状態（他の無線機に影響されない状態）と同等であって、他の無線機が未接続や未使用であっても性能および損失に変化を生じさせることは無い。なお、各ＢＰＦを介して複数の無線機を１本の空中線に接続する空中線共用器の類似の技術が下記の特許文献１に開示されている。
【特許文献１】特開２００１−１６８７５６号公報
【発明の開示】
【発明が解決しようとする課題】
【０００７】
しかし、従来の空中線共用器は、例えば、使用する送受信信号が同じ周波数帯に属する図２の２台のＶＨＦ無線機のうち、一方のＶＨＦ無線機を使用しないことになったような場合でも、他方のＶＨＦ無線機の信号は、２台のＶＨＦ無線機を結合するために用意された結合器を通過させなければならず、結合器による無用な損失を生じさせている。
【０００８】
本発明は、上述した問題点を解決するためになされたものであり、使用する送受信信号が同じ周波数帯に属する２台の無線機のうち、一方の無線機を使用しないことになったような場合に、他方の無線機の送受信信号は、結合器を通過させることなく、直接に空中線側の回路と授受することを可能にさせ、結合器を通過させることによる無用な損失を生じさせない空中線共用器を提供することを目的とする。
【課題を解決するための手段】
【０００９】
上述した課題を解決するため、本発明に係る空中線共用器は、１つの空中線に対して、それぞれが異なる周波数を用いる複数の無線機を運用するために、低域側の周波数を用いる一方の無線機に接続するための低域側帯域通過濾波器と、高域側の周波数を用いる他方の無線機に接続するための高域側帯域通過濾波器とを結合器で結合して空中線側の回路に接続する無線機結合ユニットを周波数帯域毎に有する空中線共用器において、同じ無線機結合ユニットに接続されるべき無線機のどちらかが使用されない場合には、結合器および使用されない無線機に接続される帯域通過濾波器については空中線側の回路から切り離し、使用される無線機に接続された帯域通過濾波器については結合器から切り離して空中線側の回路に直接接続する切替回路を有する。
【００１０】
このような構成によれば、同じ周波数帯域において異なる周波数を用いるとともに結合器によって結合された２台の無線機のうち、一方の無線機を使用しないこととなった場合、切替回路は、結合器および使用されない無線機に接続される帯域通過濾波器については空中線側の回路から切り離し、他方の使用される無線機に接続された帯域通過濾波器については結合器から切り離して空中線側の回路に直接接続する。
【発明の効果】
【００１１】
以上に詳述したように本発明によれば、同じ周波数帯域において異なる周波数を用いるとともに結合器によって結合された２台の無線機のうち、一方の無線機を使用しないこととなった場合、切替回路は、結合器および使用されない無線機に接続される帯域通過濾波器については空中線側の回路から切り離し、他方の使用される無線機に接続された帯域通過濾波器については結合器から切り離して空中線側の回路に直接接続することにより、使用される無線機の送受信信号は結合器による損失を受けないことになる。また、接続切替を元に戻せば２台の無線機を結合することも再度可能になる。
【発明を実施するための最良の形態】
【００１２】
以下、本発明の実施の形態について図面を参照しつつ説明する。図１は、この発明の空中線共用器の実施の形態を示すブロック図である。図１で示される空中線共用器１００の高周波同軸リレーを用いた切替回路３１，３２，３３，４１，４２，４３の接点接続が図１の通りの状態であるとき、名称が同じ部材は同じ機能を有しているので、空中線共用器１００は、図２の空中線共用器２００と実質的に同じ構成となるものとする。
【００１３】
したがって、図１に示された状態においては、無線機結合ユニット１０は切替回路３１，３２とＢＰＦ１１，１２とを介してＶＨＦ無線機１５，１６を結合し、無線機結合ユニット２０が切替回路４１，４２とＢＰＦ２１，２２とを介してＵＨＦ無線機２５，２６を結合している。無線機結合ユニット１０，２０は、さらに、それぞれ切替回路３３および４３と、低域通過濾波器３０（ＬＰＦ３０）および高域通過濾波器４０（ＨＰＦ４０）とを介して結合器５０により空中線６０に結合されている。
【００１４】
上述のように、ＢＰＦ１１，１２，２１，２２のいずれにもＶＨＦ無線機１５，１６またはＵＨＦ無線機２５，２６が接続されている場合には、切替回路３１，３２，４１，４２の共通接点ｒは接点ａに接続されており、切替回路３３，４３の共通接点ｒは接点ｋに接続されている。しかし、例えば、ＶＨＦ無線機１５は使用するが、ＶＨＦ無線機１６は使用しないことになったような場合、無線機結合ユニット１０は、ＢＰＦ１１，１２を結合する必要がなくなるので、切替回路３１の共通接点ｒの接続は、接点ａから接点ｂに切り替えられ、切替回路３３の共通接点ｒの接続は接点ｋから接点ｉに切り替えられるように制御される。
【００１５】
上述のように切り替えられることによって、ＢＰＦ１２および結合器１３は、ＬＰＦ３０などの空中線側回路から切り離され、ＢＰＦ１１は、切替回路３１，３３および接続ライン３５を介してＬＰＦ３０に直接接続（結合器を経由せずに）される。したがって、この場合、ＶＨＦ無線機１５は、送受信信号が結合器１３を通過することによる無用な損失を受けることが無くなる。また、ＶＨＦ無線機１６は使用するが、ＶＨＦ無線機１５は使用しないことになったような場合も同様であって、切替回路３２の共通接点ｒの接続は、接点ａから接点ｂに切り替えられ、切替回路３３の共通接点ｒの接続は接点ｋから接点ｊに切り替えられるように制御される。この切り替えによって、ＢＰＦ１１および結合器１３は、ＬＰＦ３０などの空中線側の回路から切り離され、ＢＰＦ１２は、切替回路３２，３３および接続ライン３６を介してＬＰＦ３０に直接接続される。
【００１６】
これらのことは、ＵＨＦ周波数帯域のＵＨＦ無線機２５，２６の場合も同様であって、ＵＨＦ無線機２５のみを使用する場合には、切替回路４１の共通接点ｒの接続を接点ｂに切り替え、切替回路４３の共通接点ｒの接続を接点ｉに切り替える。この切り替えによって、ＢＰＦ２２および結合器２３は、ＨＰＦ４０などの空中線側回路から切り離され、ＢＰＦ２１は、切替回路４１，４３および接続ライン４５を介してＨＰＦ４０に直接接続される。したがって、この場合、ＵＨＦ無線機２５について、送受信信号が結合器２３を通過するということによる無用な損失を受けることが無くなる。
【００１７】
また、ＵＨＦ無線機２６のみを使用する場合には、切替回路４２の共通接点ｒの接続を接点ｂに切り替え、切替回路４３の共通接点ｒの接続を接点ｊに切り替える。この切り替えによって、ＢＰＦ２１および結合器２３は、ＨＰＦ４０などの空中線側回路から切り離され、ＢＰＦ２２は、切替回路４２，４３および接続ライン４６を介してＨＰＦ４０に直接接続される。したがって、この場合、ＵＨＦ無線機２６について、送受信信号が結合器２３を通過するということによる無用な損失を受けることが無くなる。もちろん、２台の無線機を結合器で結合することが必要な場合には、切替回路を切り替えれば自在に元の空中線共用器の形に戻すことができるようになっている。
【図面の簡単な説明】
【００１８】
【図１】この発明の空中線共用器の実施の形態を示すブロック図である。
【図２】空中線共用器の従来例を示すブロック図である。
【符号の説明】
【００１９】
１０，２０  無線機結合ユニット、  １１，１２，２１，２２  ＢＰＦ（帯域通過濾波器）、１３，２３，５０  結合器、１５，１６  ＶＨＦ無線機、２５，２６  ＵＨＦ無線機、３０  ＬＰＦ（低域通過濾波器）、３１，３２，３３，４１，４２，４３  切替回路、３５，３６，４５，４６  接続ライン、４０  ＨＰＦ（高域通過濾波器）、６０  空中線、１００  空中線共用器。
【図１】
2007036322.tif 000003
【図２】
2007036322.tif 000004